(57)【要約】      （修正有）【課題】所定数の価値媒体の払い出し途中において、保留部の価値媒体が無くなった場合であっても保留部に価値媒体を補給することにより自動的に残りの価値媒体を払い出す価値媒体払出装置の提供。【解決手段】価値媒体の所定の払出数を指示する払出指示装置１４２と、払い出された価値媒体を一時保留する一時保留装置と、一時保留装置に保留された価値媒体をまとめて払い出す一括払出装置と、検知装置からの検知信号の合計が前記指示数と一致した場合、払出装置を停止した後一括払出装置を作動させる制御装置１１８とを備える価値媒体払出装置において、指示数から検知装置からの検知信号数を減算した残数を記憶する残数記憶装置１４４と、保留部の装着を検知する保留部検知装置１５８と、保留部検知装置の検知に基づいて残数記憶装置が残数を記憶している場合、払出装置に払い出しを行わせる残数払出装置と、を有する価値媒体払い出し装置である。【選択図】図２
2007087087.tif 000002
【特許請求の範囲】
【請求項１】
保留部(120)に保留された価値媒体を一つずつ払い出す価値媒体払出装置(108)と、
前記価値媒体払出装置によって払い出された価値媒体を検知する検知装置(136、156)と、
前記価値媒体の所定の払出数を指示する払出指示装置(142)と、
前記払い出された価値媒体を一時保留する一時保留装置(126)と、
前記一時保留装置に保留された価値媒体をまとめて払い出す一括払出装置(130)と、
前記検知装置からの検知信号の合計が前記指示数と一致した場合、前記払出装置を停止した後前記一括払出装置を作動させる制御装置(118)とを備える価値媒体払出装置において、
前記指示数から前記検知装置からの検知信号数を減算した残数を記憶する残数記憶装置(144)と、
前記保留部の装着を検知する保留部検知装置(158)と、
前記保留部検知装置の検知に基づいて前記残数記憶装置が残数を記憶している場合、前記払出装置に払い出しを行わせる残数払出装置(170、172)と、
を有する価値媒体払い出し装置。
【請求項２】
価値媒体を保留する保留部(120)と、
前記保留部に保留された価値媒体を一つずつ払い出す払出装置(108)と、
前記払出装置によって払い出された価値媒体を検知する検知装置(136)と、
所定の払い出し指示数を記憶する払出指示装置(142)と、
前記払い出された価値媒体を一時保留する一時保留装置(126)と、
前記一時保留装置に保留された価値媒体をまとめて払い出す一括払出装置(130)と、
前記検知装置からの検知信号の合計が前記指示数と一致した場合、前記払出装置を停止する制御装置とを備える価値媒体払出装置において、
前記指示数から前記検知装置からの検知信号数を減算した残数を記憶する残数記憶装置(144)と、
前記残数記憶装置から信号を受けて可視表示する表示装置(150)と、
少なくとも前記残数記憶装置及び前記指示数記憶装置のためのバックアップ電源装置(140)と、
前記保留部が装着された時、その装着を検知する保留部検知装置(158)と、
前記保留部検知装置が新たな保留装置を検知したとき、前記一括払出装置にイニシャル動作を行わせるイニシャル装置(174)と、
前記イニシャル動作後、前記残数記憶装置が残数を記憶している場合、前記払出装置に払い出しを行わせる残数払出装置(170、172)と、
を有する価値媒体払い出し装置。
【発明の詳細な説明】
【技術分野】
【０００１】
本発明は、指示装置からの指示に基づいて所定数の価値媒体を払出す価値媒体払出装置に関する。
詳しくは、遊技場に適した小型であって、かつ、指示装置からの指示に基づいて所定数の価値媒体を払出す価値媒体払出装置に関する。
さらに詳しくは、価値媒体の払い出し途中において、保留されている価値媒体が無くなった場合、価値媒体を補給後に残りの価値媒体が正確に払い出されるようにした価値媒体払い出し装置に関する。
さらには、価値媒体の払い出し途中において停電した場合、停電回復後に残りの価値媒体が正確に払い出されるようにした価値媒体払い出し装置に関する。
なお、本明細書で使用する「価値媒体」は、紙幣、硬貨、ゲーム機用のメダル、トークン、パチンコ玉等を包含する。
【背景技術】
【０００２】
価値媒体の払い出し装置の一態様において、遊技場に設置される玉貸し機がある。
玉貸し機において、一万円などの高額紙幣を受け入れ、予め決定された金額に対応するメダルを払い出すと共に、残りを千円紙幣で払い出すものが知られている。(例えば特許文献１)
この玉貸し機は、通常、紙幣の識別受け入れ装置と、高額紙幣受け入れ時の釣り紙幣払出装置と、玉払い出しのためのホッパ及び制御装置が、扉を有するボックス型の筐体に内蔵されている。
【０００３】
【特許文献１】特許第２５４３４７７号（図１−図８、２頁―３頁）
【０００４】
この従来装置において、例えば一万円を識別受け入れ装置に投入した場合、千円に相当する数の玉がホッパから払い出されると共に、紙幣払出装置から九千円の釣り紙幣が払い出される。
一方、停電等による不測の事態に備えるため、所定時間間隔でデータを記憶しておき、停電時は停電直前のデータを使用して受け入れた貨幣が返却可能な状態にある場合、貨幣の返却作業を行うことが一般に行われている。
【０００５】
しかし、この技術を前記玉貸し機に応用した場合、玉貸し機は小型であるため受け入れた紙幣は一時保留部に保留されることなく紙幣受入装置に保留される。
九千円のつり紙幣の払い出し中に停電が発生した場合、投入紙幣は収納済みであるため、受け入れた紙幣が返却可能状態でなく、自動的に復旧することができない。
また、停電前に払出した紙幣は引き取り可能なため、停電を奇貨として不正が行われることがある。
【０００６】
また、通常、金庫内の紙幣は、エンプティセンサにより保留紙幣がゼロにならないよう監視され、最大釣り札数に必要な紙幣が保留されていない場合、紙幣が残った状態で払い出し不能にするため、紙幣払い出し中に、払い出すべき紙幣が無くなることがない。
しかし媒体貸し機は、小型であるため紙幣の保留枚数が少なく、余裕を持って払い出し不能にした場合、頻繁に金庫に紙幣を補充せねばならないという問題がある。
【０００７】
そのため、金庫内の積み重ねた紙幣の厚みが所定値になった場合、経験則に基づいて予め設定された数の紙幣が払い出されるまで紙幣の払い出しを行うことが考えられる。
しかし、紙幣の見かけ上の厚さは、皺などの状態によって変わるため、希に紙幣の払い出し途中において金庫内の紙幣が無くなることが考えられる。
この場合、払出数を最終的に一致させるか、受け入れ紙幣を返却する必要があるが、制約されたスペースにおいて受け入れ紙幣の保留部を設けることはできず、対応することは困難であった。
【発明の開示】
【発明が解決しようとする課題】
【０００８】
本発明の第１の目的は、所定数の価値媒体の払い出し途中において保留部の価値媒体が無くなった場合であっても、保留部に価値媒体を補給することにより自動的に残りの価値媒体を払い出すようにすることである。
本発明の第２の目的は、所定数の価値媒体の払い出し途中において停電した場合であっても、電源復帰後に自動的に残りの価値媒体を払い出すようにすることである。
本発明の第３の目的は、遊技場に設置するのに適した小型であって、かつ、上記目的の機能を有する価値媒体払い出し装置を提供することである。
【課題を解決するための手段】
【０００９】
この目的を達成するため、本発明にかかる価値媒体貸し機は以下のように構成されている。
保留部に保留された価値媒体を一つずつ払い出す価値媒体払出装置と、前記価値媒体払出装置によって払い出された価値媒体を検知する検知装置と、前記価値媒体の所定の払出数を指示する払出指示装置と、前記払い出された価値媒体を一時保留する一時保留装置と、前記一時保留装置に保留された価値媒体をまとめて払い出す一括払出装置と、前記検知装置からの検知信号の合計が前記指示数と一致した場合、前記払出装置を停止した後前記一括払出装置を作動させる制御装置とを備える価値媒体払出装置において、
前記指示数から前記検知装置からの検知信号数を減算した残数を記憶する残数記憶装置と、前記保留部の装着を検知する保留部検知装置と、前記保留部検知装置の検知に基づいて前記残数記憶装置が残数を記憶している場合、前記払出装置に払い出しを行わせる残数払出装置と、を有する価値媒体払い出し装置である。
【発明の効果】
【００１０】
この構成によれば、正常時、保留部の価値媒体は価値媒体払出装置によって順次一つずつ払い出され、一時保留装置に保留される。
保留装置から払い出された価値媒体は、検知装置によって一つずつ検出され、そのトータルが払い出し指示数記憶装置に記憶された払出数と比較される。
それらが一致した場合、制御装置によって価値媒体払出装置が停止された後、一括払出装置が作動されて一時保留装置に集積された価値媒体が一括して払い出され、価値媒体の払い出しが終了する。
払い出し途中において、保留装置の価値媒体が無くなった場合、または、停電になった場合、それらの異常状態から正常状態に復帰したときに保留装置検知装置が保留装置を検知したとき、残数記憶装置が残数を記憶している場合には価値媒体払出装置が作動され、その残数の価値媒体が保留装置から払い出され、一時保留装置に保留される。
その後、一括払出装置が作動され、一時保留装置に保留された価値媒体が一括して払い出される。
価値媒体の払い出しが、価値媒体の消尽又は停電などの異常によって途中で停止した場合であっても、異常状態から回復した場合、残数記憶装置に記憶されている残数に基づいて未払い出しの価値媒体が払い出される。
したがって、価値媒体の払い出しが中断した場合であっても正確に価値媒体を払い出すことができる利点がある。
【００１１】
請求項２に係る発明は、価値媒体を保留する保留部と、前記保留部に保留された価値媒体を一つずつ払い出す払出装置と、前記払出装置によって払い出された価値媒体を検知する検知装置と、所定の払い出し指示数を記憶する払出指示装置と、前記払い出された価値媒体を一時保留する一時保留装置と、前記一時保留装置に保留された価値媒体をまとめて払い出す一括払出装置と、前記検知装置からの検知信号の合計が前記指示数と一致した場合、前記払出装置を停止する制御装置とを備える価値媒体払出装置において、前記指示数から前記検知装置からの検知信号数を減算した残数を記憶する残数記憶装置と、前記残数記憶装置から信号を受けて可視表示する表示装置と、少なくとも前記残数記憶装置及び前記指示数記憶装置のためのバックアップ電源装置と、前記保留部が装着された時、その装着を検知する保留部検知装置と、前記保留部検知装置が新たな保留装置を検知したとき、前記一括払出装置にイニシャル動作を行わせるイニシャル装置と、前記イニシャル動作後、前記残数記憶装置が残数を記憶している場合、前記払出装置に払い出しを行わせる残数払出装置と、を有する価値媒体払い出し装置である。
【００１２】
この構成において、保留装置から払出装置によって一枚ずつ払い出された価値媒体は、一時保留装置に積層して保留される。また、払い出された価値媒体は、払い出し途上において検知装置により検知される。
検知された払い出し紙幣数は指示数から減算され、残数記憶装置に記憶されるとともに表示装置に表示される。
すなわち、表示装置には払い出すべき価値媒体数が表示されている。
価値媒体の払い出し途中に保留装置の価値媒体が無くなった場合、払い出しは中断される。
管理者によって新たな保留部が装着された場合、保留部検知装置は検知信号を出力する。
この検知信号に基づいてイニシャル動作が行われ、空になった保留装置から払い出され、一時保留装置に保留されていた価値媒体が一括して払い出される。
これにより、顧客及び管理者は、表示装置の表示と払い出された価値媒体を比較し確認することができる。
次いで、残数記憶装置が記憶している残数がある場合、払出装置が作動され、残数に相当する価値媒体が払い出された後、一括払出装置が作動されて一括して顧客に払い出される。
払い出し途中において停電になった場合、残数記憶装置はバックアップ電源により記憶を継続する。
電源が回復した場合、一括払出装置の位相が不明であるため、イニシャル装置は一括払出装置にイニシャル動作を行わせる。
このイニシャル動作により、停電前に一時保留部に蓄積された価値媒体が一括して払い出される。
このとき、残数記憶装置に記憶されている残数が表示装置に表示されているため、この残数から払い出された価値媒体の数が正しいか確認することができる。
この後、残数記憶装置の残数に基づいて払出装置が作動され、残数が保留部から払い出され、一時保留装置に保留される。
払い出された価値媒体は、この過程で検知装置により検知され、価値媒体の残数が払い出された場合、価値媒体払出装置は停止される。
次いで、制御装置により一括払出装置が作動され、一時保留装置に保留された残りの価値媒体が一括して払い出されて払い出し処理が終了する。
顧客と管理者は、この価値媒体数と表示されていた残数とが一致することを確認することにより、価値媒体が正確に払い出されたことを確認することができる。
したがって、本請求項の装置は、表示装置の表示と払い出された価値媒体とを比較確認することができる利点を有する。
【最良の実施の形態】
【００１３】
価値媒体を保留する保留部と、前記保留部に保留された価値媒体を一つずつ払い出す払出装置と、前記払出装置によって払い出された価値媒体を検知する検知装置と、所定の払い出し指示数を記憶する払出指示装置と、前記払い出された価値媒体を一時保留する一時保留装置と、前記一時保留装置に保留された価値媒体をまとめて払い出す一括払出装置と、前記検知装置からの検知信号の合計が前記指示数と一致した場合、前記払出装置を停止する制御装置とを備える価値媒体払出装置において、前記指示数から前記検知装置からの検知信号数を減算した残数を記憶する残数記憶装置と、前記残数記憶装置から信号を受けて可視表示する表示装置と、少なくとも前記残数記憶装置及び前記指示数記憶装置のためのバックアップ電源装置と、前記保留部が装着された時、その装着を検知する保留部検知装置と、前記保留部検知装置が新たな保留装置を検知したとき、前記一括払出装置にイニシャル動作を行わせるイニシャル装置と、前記イニシャル動作後、前記残数記憶装置が残数を記憶している場合、前記払出装置に払い出しを行わせる残数払出装置と、を有する価値媒体払い出し装置である。
【発明の実施の形態】
【００１４】
図１は、実施例の価値媒体払出装置の概要図である。
図２は、実施例の価値媒体払出装置のブロック図である。
図３は、実施例の作動説明用のフローチャートである。
【００１５】
本実施例は、「サンド」と称されるパチスロ機の間に設置するメダル貸し機に組み込まれた、つり札払出しのための紙幣払出装置に本発明を適用した例である。
したがって、本実施例において価値媒体は紙幣であるが、トークンや商品券等に変えることができる。
【００１６】
図１において、メダル貸し機100は、その箱型の筐体102内に上から順に、主制御装置104、紙幣識別受入装置106、紙幣払出装置108、及び、メダル払出110が配置されている。
紙幣識別受入装置106は、付設された受入制御装置112に基づいて受け入れた紙幣の真偽を紙幣識別器114によって判別し、真紙幣の場合、紙幣の金種を主制御装置104へ出力すると共に収納部116に収納する。
【００１７】
例えば、日本円が用いられる場合、一万円紙幣、五千円紙幣、二千円紙幣及び千円紙幣の真偽を判別し、真正の場合、その金種信号RBを主制御装置104へ送信すると共に受け入れた紙幣を収納部116に収納する。
主制御装置104は、紙幣識別受入装置106からの金種信号に基づいて、紙幣払出装置108及びメダル払出装置110へ所定の指示信号を出力し、また、それら装置から信号を入力して所定の演算を行い、それら装置に指令信号を出力し、所定の動作を行わせる。
【００１８】
紙幣払出装置108の払出制御装置118は、主制御装置104から払出指令を受け、指令に基づいて所定枚数の紙幣を払い出す。
すなわち、保留部120に積層状態に保留された千円紙幣を送り出しローラ122によって送り出して搬送装置124によって一時保留装置126へ搬送し、指示数の紙幣を保留する。
したがって、価値媒体払出装置128は、送り出しローラ122及び搬送装置124によって構成される。
次いで一括払出装置130によって一時保留装置126に保留された紙幣を一括して受取口132へ送り出す。
【００１９】
搬送装置124の途中に価値媒体検知装置134としての紙幣センサ136が配置され、払い出された紙幣を検知し、一枚毎に検知信号BCOを出力する。
メダル払出装置110のメダル払出制御装置132は、主制御装置104から払出指示MPOを受け、指示に基づいて所定数のメダルをメダル口138へ払い出す。
主制御装置104は、バックアップ電源140が付設され、紙幣の残払出数などの必要情報を所定期間、例えば１日から１月の間の所定期間記憶可能である。
バックアップ電源として、例えば、スーパーキャパシタ、畜電池等が好ましい。
【００２０】
次に、図２のブロック図を参照して更に詳細に説明する。
主制御装置104は、紙幣識別受入装置106の受入制御装置112から真紙幣の金種情報信号RBを受け、釣り札を演算する釣り札払出指示装置142、釣り札残数記憶装置144、メダル払出指示装置146、メダル残数記憶装置148及び表示装置150を含んでいる。
【００２１】
釣り札払出指示装置142は、受け入れた金種から予め設定された金額を減じた額に相当する1000円紙幣の枚数を紙幣払出装置108に出力する。
具体的には、2千円紙幣を受け入れた場合、メダルを払い出す金額、例えば千円を減額した千円に相当する「１」を、五千円紙幣を受け入れた場合、四千円に相当する「４」を、一万円紙幣を受け入れた場合、九千円に相当する「９」を紙幣払出制御装置118へ出力する。
釣り札残数記憶装置144は、払出指示装置142から指示された払出数から、
払出センサ134から受けた信号を減算した残数を紙幣払出制御装置118から受けて記憶する。
【００２２】
メダル払出指示装置146は、1000円に相当するメダル数をメダル払出装置110に出力する。
メダル残数記憶装置148は、メダル払出装置110の払出センサ156からの信号をカウントし、払出指示数から払出済み数を減算した値を記憶する。
釣り札残数及びメダル残数は、バックアップ電源140によって釣り札残数記憶装置144及びメダル残数記憶装置148に所定期間夫々記憶される。
【００２３】
メダル払出装置110は、メダル払出制御装置132が主制御装置104からメダル払出指示信号MPOを受けた場合、駆動装置158を駆動して保留しているメダルを一枚ずつ払出す。
払出センサ156が払い出されたメダルを検知した場合、メダル払出制御装置132は、指示数から払い出されたメダル数を減算し、払出残数信号MCOを主制御装置104へ出力する。
【００２４】
紙幣払出装置108は、所定位置に装着された保留部120を検知し、検知信号SASを出力する装着センサ158である保留部検知装置160を含んでいる。
主制御装置104は、例えばマイクロプロセッサであり、所定のプログラムに基づいて紙幣払出装置108及びメダル払出装置110を制御する。
表示装置150は、払出済み紙幣数やエラー表示を行う。
【００２５】
次に本実施例の作用を図３のフローチャートを参照しつつ説明する。
なお、紙幣識別受入装置106が紙幣を受け入れた場合、主制御装置104は1000円分に相当するメダル50枚の払出し指示数を払出指示装置146に記憶し、かつ、払出信号MPOをメダル払出装置110へ出力する。
また、主制御装置104は10000円紙幣を受け入れた場合、9000円に相当する「９」を、5000円紙幣を受け入れた場合、4000円に相当する「４」を、2000円を受け入れた場合は1000に相当する「１」を釣り札払出指示装置142に記憶する。
【００２６】
以下の説明では5000円紙幣を紙幣識別受入装置106が受け入れたケースを説明する。
まず、主制御装置104はステップCS1において、メダル残数記憶装置148に記憶値があるか判別する。
すなわち、前回の残りのメダル払出残数があるか判別する、本ケースにおいては初回の作動であるため、残払出数が記憶されていないので、ステップCS2に進む。
残払出数が記憶されている場合、後述のステップCS5に進み、残数を払い出す。
【００２７】
ステップCS2において、釣り札残数記憶装置144に記憶値があるか判別する。
すなわち、前回の残りの釣り札払出残数があるか判別する、本ケースにおいては初回の作動であるため、残数が記憶されていないので、ステップCS3に進む。
残数が記憶されている場合、後述のステップCS7に進み、残数を払い出す。
次にステップCS3において紙幣識別器114から紙幣の受け入れ信号RBがあるか判別する。
受け入れ信号RBが無い場合、ステップCS3をループする、換言すれば、紙幣受け入れ待機状態である。
【００２８】
受け入れ信号RBがある場合、ステップCS4に進み、指示装置146にメダル払出数を記憶する。
本ケースの場合、初期値である50が記憶される。
次にステップCS5において、メダル払出指示装置146はメダル払出装置110の払出制御装置132に払出指示信号MPOを出力する。
【００２９】
次にステップCS6において、釣り札枚数を演算し、指示装置142に記憶する。    
すなわち、受け入れ紙幣は5000円であるから、メダル代金の1000円を減算した4000円を返却する必要があるので、4000円に相当する「４」を釣り札払出数指示装置142に記憶する。
次にステップCS7において、指示装置142は、紙幣払出制御装置118に紙幣払出指示信号BPOを出力する。
【００３０】
メダル払出指示信号MPOが出力された場合、メダル払出制御装置132は、ステップMS1において指示信号MPOを判別し、ステップMS2に進む。
ステップMS2において、駆動装置158を駆動してメダルを一枚ずつ払い出す。
メダルが払い出された場合、ステップMS3において払出センサ156のメダル検知信号を検知してステップMS4において検知信号MCOを主制御装置104に出力する。
【００３１】
この検知信号MCOを受けた主制御装置104は、ステップCS8においてメダル払出指示装置146に記憶した払出数から1を減算し、ステップCS9において、残り払出数として記憶装置148に記憶する。
次にステップCS10において、残り枚数がゼロか判定し、ゼロでない場合、ステップCS11に進む。
【００３２】
一方、紙幣払出装置108において電源が投入された場合、紙幣払出制御装置118は、ステップBS1において、保留部120が紙幣払出装置108に装着されているか判別する。
換言すれば、装着センサ158の装着信号SASがあるか判別し、存在する場合、ステップBS2に進み、存在しない場合ステップBS３に進んで主制御装置104にエラー信号を送信し、表示装置150にエラー表示をして終了する。
【００３３】
ステップBS2において、紙幣払出装置108のイニシャル動作を行う。
すなわち、一時保留装置126における保留枚数の記憶値をゼロにし、一括払出装置130の状態を払出前の状態にする。
換言すれば、紙幣払出装置108を初期状態にする。
【００３４】
次にステップBS4において紙幣払出指示信号BPOを受けたかどうか判別する。
指示信号BPOが無い場合、ステップBS4をループし、指示信号BPOがある場合、ステップBS5に進む。
ステップBS5において、主制御装置104のステップCS7で指示された釣り札枚数である「4」を記憶する。
【００３５】
次に、ステップBS6において、送り出しローラ122、搬送装置124を作動させ、釣り札の払い出しを開始する。
釣り札が一枚払い出されるたびに、紙幣センサ136が紙幣検知信号BDSを出力する。
【００３６】
ステップBS7において、検知信号BDSを判別した場合、ステップBS8に進み、所定時間内であるか判別し、所定時間内の場合、ステップBS7に戻る。
ステップBS8において所定時間を超えた場合、保留部120の紙幣が無くなったかジャムしたものとみなし、ステップBS9において紙幣払出装置128を停止すると共に主制御装置104へ異常信号EMSを出力する。
【００３７】
ステップBS7において検知信号BDSが出力された場合、ステップBS10においてステップBS5において記憶された釣り札指示数から１を減じ、ステップBS11において新たな釣り札指示数NDNとして記憶する。
この新たな釣り札指示数NDNは主制御装置104へ出力し、ステップBS12へ進む。
ステップBS12において、新たな釣り札指示数がゼロであるか判別する。
換言すれば、全ての釣り札が払い出された場合、ステップBS13に進み、払出装置128を停止する。
【００３８】
次に、ステップBS14において釣り札払出完了信号BCSを主制御装置104に出力した後、ステップBS15に進む。
ステップBS15において、一括払出装置130を作動させて一時保留装置126に積層して保留された紙幣を移動させて払出口132に払い出した後、ステップBS4へ戻る。
【００３９】
主制御装置104は、ステップCS11において、紙幣払出装置108から受けた新たな釣り札数NDNを記憶装置144に記憶する。
次にステップCS12において、釣り札払出完了信号BCSが有るか判別し、紙幣払出制御装置137からの紙幣払出完了信号BCSがある場合、釣り札の払出を完了したものと見なししてステップCS2に戻る。
【００４０】
ステップCS12において完了信号BCSが判別されない場合、ステップCS13に進み、異常信号EMSがあるか判別する。
異常信号EMSが無い場合、メダル及び釣り札の払出を継続するため、ステップCS10に戻る。
【００４１】
主制御装置のステップCS10において、メダル残数がゼロになった場合、換言すれば、50枚のメダルがメダル払出装置110から払い出された場合、ステップCS14に進み、メダル払出完了信号MCSを出力した後、次の払出のため、ステップCS3に戻る。
【００４２】
メダル払出完了信号MCSを受けたメダル払出制御装置132は、ステップMS5においてメダル払出完了信号MCSを判別するので、ステップMS6に進み、駆動装置158を停止し、メダルの払出を終了した後、ステップMS1に戻り、次の払出に備える。
【００４３】
次に、紙幣払出装置108のステップBS9において、異常停止したケースを説明する。
この状況は、例えば、保留部120の紙幣が払出途中で無くなった場合又は紙幣がジャムした場合である。
この場合、釣り札残数は紙幣払出装置108の記憶部(ステップBS11)及び主制御装置104の釣り札残数記憶装置144に記憶されている。
【００４４】
したがって、ステップBS16において、保留部120を紙幣払出装置108から取り出し、次いでステップBS17において紙幣を保留部120に補充し、又は、ジャムした紙幣を修復する。
次いでステップBS18において保留部120を紙幣払出装置108に装着する。
【００４５】
装着センサ158が保留部120が所定の位置に装着された場合、装着信号を出力するのでプログラムはステップBS20に進み、装着信号SASを出力した後、ステップBS2に戻る。
ステップBS2に戻った場合、イニシャル作業が行われる。
すなわち、前述同様に一括払出装置130の位置を初期位置に戻す。
【００４６】
これにより、一時保留装置126に保留されていた紙幣は、払出口132に払い出される。
また、紙幣払出制御装置118の払出指示はゼロリセットされる。
次に、ステップBS4において払出指示信号BPOを判別した場合、ステップBS5に進むので、前記の残数が釣り札指示数として記憶される。
これにより、前述のように指示枚数、換言すれば、残数が払い出される。
【００４７】
主制御装置104において、ステップCS13において異常信号EMSを判別した場合、ステップCS15に進み、表示装置150にエラー表示をしてステップCS16に進む。
ステップCS16において、装着信号SASを判別した場合、ステップCS17に進み、エラーを解除する。
すなわち、表示装置150に於ける異常表示を取り消す。
【００４８】
次いでステップCS18において、釣り札残数記憶装置144に残払出数が記憶されているか判別する。
残数が無い場合、ステップCS3へ戻り、次の払出に備える。
残数がある場合ステップCS19に進み、記憶装置144に記憶している残数を、残りの釣り札の払い出し数として設定し、ステップCS7に進む。
ステップCS7に戻った場合、前述のように紙幣払出指示信号BPOを紙幣払出制御装置137に出力し前述のように残数を一時保留装置126に払い出す。
【００４９】
次にメダル及び紙幣の払い出し途中に停電になったケースを説明する。
停電になった場合、主制御装置104、受入制御装置112、払出制御装置118及びメダル払出制御装置132への電源供給は停止する。
しかし、主制御装置104のメダル残数記憶装置146及び釣り札残数記憶装置144は、バックアップ電源140によって、少なくとも１日、多くとも１週間程度に亘り、電源が供給されるため、メダル及び釣り札の残数が保持されている。
【００５０】
停電が回復した場合、主制御装置104は、ステップCS1においてメダル残記憶装置148にメダル払出残数が記憶されているか判別する。
メダル残数が記憶されている場合、ステップCS5に進み、前述のようにメダル払出指示をメダル払出制御装置132に行う。
これにより、前述のように記憶装置144に記憶されているメダル残数が払い出される。
【００５１】
ステップCS1においてメダル残数が記憶されていない場合、ステップCS2に進み、釣り札残数記憶装置144に残数が記憶されているか判別する。
記憶されている場合、ステップCS7に進み、紙幣払出制御装置118に残数の払出信号BPOを出力し、前述のように残りの釣り札を払い出す。
本実施例において、上記ステップCS19が保留部120における紙幣の消尽やジャムが発生した場合の残数払出装置170に相当する。
また、停電時は、ステップCS1およびCS2が残数払出装置172に相当する。
さらに、ステップBS2がイニシャル装置174に相当する。
【図面の簡単な説明】
【００５２】
【図１】図１は、実施例の価値媒体払出装置の概要図である。
【図２】図２は、実施例の価値媒体払出装置のブロック図である。
【図３】図３は、実施例の作動説明用のフローチャートである。
【符号の説明】
【００５３】
108  払出装置
120  保留部
126  一時保留装置
130  一括払出装置
136  検知装置
140  バックアップ電源
142  払出指示装置
144  残数記憶装置
150  表示装置
158  保留部検知装置
170、172  残数払出装置
174  イニシャル装置
【図１】
2007087087.tif 000003
【図２】
2007087087.tif 000004
【図３】
2007087087.tif 000005